(57)【要約】【課題】参加者がラリーを行うにあたり娯楽性を得られるようにする。【解決手段】参加者が受付装置２０において登録を行うと、参加者を識別する参加者情報、参加者の好みのスタンプのスタンプ識別子、およびスタンプラリーのチェックポイントの位置を示した地図の情報が電子ペーパ装置１０に記憶され、電子ペーパ装置１０にチェックポイントの位置を示した地図が表示される。参加者が電子ペーパ装置１０は電子ペーパ装置１０を携帯してチェック装置４０Ａ〜４０Ｅが置かれているチェックポイントを巡る。参加者が電子ペーパ装置１０をチェック装置４０Ａにかざすと、スタンプ識別子がチェック装置４０Ａに送信される。チェック装置４０Ａが、スタンプ識別子で特定されるスタンプの画像を電子ペーパ装置１０へ送信すると、送信されたスタンプの画像が電子ペーパ装置１０に表示される。【選択図】図１
2008191967.tif 000002
【特許請求の範囲】
【請求項１】
ラリーの参加者を識別する参加者情報と、前記参加者に対応するスタンプを表すスタン
プ情報を送信する情報送信手段
を備える受付装置と、
前記情報送信手段から送信された参加者情報とスタンプ情報とを受信する情報受信手段
と、
前記情報受信手段により受信された参加者情報とスタンプ情報とを記憶する記憶手段と
、
前記記憶手段に記憶されたスタンプ情報を送信するスタンプ情報送信手段と、
外部の装置から送信されたスタンプ画像を受信するスタンプ画像受信手段と、
前記スタンプ画像受信手段により受信されたスタンプ画像を表示する表示手段と
を備える通信端末と、
前記スタンプ情報送信手段から送信されたスタンプ情報を受信するスタンプ情報受信手
段と、
前記スタンプ情報受信手段により受信されたスタンプ情報に対応するスタンプ画像を前
記通信端末へ送信するスタンプ画像送信手段と
を備える複数のチェック装置と
を有するラリーシステム。
【請求項２】
前記表示手段は記憶性を有し、
前記通信端末は、
電波の送信および受信を行うアンテナを有し、
他装置への情報送信および他装置からの情報受信を前記アンテナを介して電波により行
い、
該アンテナで受信した電波により生じた誘導起電力で駆動されること
を特徴とする請求項１に記載のラリーシステム。
【請求項３】
前記受付装置は、前記チェック装置の位置を表す地図情報を送信する地図情報送信手段
を有し、
前記通信端末は、前記地図情報送信手段から送信された地図情報を受信する地図情報受
信手段を有し、
前記表示手段は、前記地図情報受信手段で受信された地図情報が表す地図を表示するこ
と
を特徴とする請求項１または請求項２に記載のラリーシステム。
【請求項４】
前記チェック装置は、ラリーにおいて当該チェック装置の次に巡るチェック装置の位置
を示した装置地図情報を送信する装置地図情報送信手段を有し、
前記通信端末は前記装置地図情報送信手段から送信された装置地図情報を受信する装置
地図情報受信手段を有し、
前記表示手段は、前記装置地図情報受信手段で受信された装置地図情報が表す地図を表
示すること
を有することを特徴とする請求項３に記載のラリーシステム。
【請求項５】
前記通信端末は、前記記憶手段に記憶した参加者情報を送信する参加者情報送信手段を
有し、
前記チェック装置は、前記参加者情報送信手段から送信された参加者情報を転送する転
送手段を有し、
時刻を計時する計時手段と、
前記転送手段で転送された参加者情報を受信する参加者情報受信手段と、
前記参加者情報受信手段で受信された参加者情報と、該参加者情報を受信した時刻とを
対応付けて記憶する記憶手段と
を備えるホスト装置
を有する請求項１乃至請求項４のいずれかに記載のラリーシステム。
【請求項６】
前記チェック装置は、
時刻を計時する計時手段と、
前記計時手段で計時した時刻を送信する第１時刻送信手段を有し、
前記通信端末は、
前記第１時刻送信手段から送信された時刻を受信する第１時刻受信手段と、
前記第１時刻受信手段で受信された時刻を記憶する時刻記憶手段
を有することを特徴とする請求項１乃至請求項４のいずれかに記載のラリーシステム。
【請求項７】
前記チェック装置は、
時刻を計時する計時手段と、
前記計時手段で計時した時刻を送信する第１時刻送信手段を有し、
前記通信端末は、
前記第１時刻送信手段から送信された時刻を受信する第１時刻受信手段と、
前記第１時刻受信手段で受信された時刻を記憶する時刻記憶手段と、
前記時刻記憶手段に記憶した時刻を送信する第２時刻送信手段を有し、
さらに前記チェック装置は、
第２時刻送信手段から送信された時刻を受信する第２時刻受信手段を有し、
前記装置地図情報送信手段は、ラリーにおいて当該チェック装置の次に巡るチェック装
置を前記第２時刻受信手段で受信した時刻に基づいて決定し、決定したチェック装置の位
置を示した装置地図情報を送信すること
を特徴とする請求項４に記載のラリーシステム。
【発明の詳細な説明】
【技術分野】
【０００１】
本発明は、電子ペーパを用いた遊戯に関する。
【背景技術】
【０００２】
参加者が複数のチェックポイントを巡り、各ポイントに置いてあるスタンプを集めるス
タンプラリーという遊戯がある。この遊戯を行う場合、参加者はスタンプが押される紙や
チェックポイントの位置を示した地図を持ち歩き、チェックポイントでスタンプを紙に押
していた。しかし、近年では紙を用いないラリーとして特許文献１に開示されているラリ
ーも考案されている。特許文献１に開示されているラリーにおいては、熱や磁気を利用し
て記録面の図柄や文字を書き換えるリライトカードを参加者が携帯し、参加者がチェック
ポイントのリーダライターにリライトカードを挿入する。このリライトカードには、ラリ
ーのスタート時においては顔の輪郭のみが表示されており、チェックポイントでクイズに
答えると、クイズの正解／不正解に応じて顔のパーツが記入されていく。このラリーによ
れば、同じルートを複数の参加者で巡っても、全てのチェックポイントを巡り終えるとク
イズの正解数／不正解数の数に応じて異なる表情の顔の像が表示されるため、よりラリー
を楽しむことができる。
【０００３】
【特許文献１】特開２００２−１７９３６号公報
【発明の開示】
【発明が解決しようとする課題】
【０００４】
ところで、特許文献１に開示されているラリーにおいては、年齢や性別に応じてカード
が配布され、カードには年齢や性別に対応して、例えば、男性成人には殿様、男子子供に
は若侍、女性にはお姫様というように顔の像が表示される。クイズの正解数／不正解数の
数に応じて表情の異なる顔が表示されるものの、参加者の好みのキャラクタではない場合
があり、チェックポイントを回ったという印（スタンプ）を集めるという点では楽しみが
少なく、チェックポイントを見つけることが主な楽しみとなっていた。
【０００５】
本発明は、上述した背景の下になされたものであり、その目的は、参加者がラリーを行
うにあたり娯楽性を得られるようにすることにある。
【課題を解決するための手段】
【０００６】
上述した課題を解決するために本発明は、ラリーの参加者を識別する参加者情報と、前
記参加者に対応するスタンプを表すスタンプ情報を送信する情報送信手段を備える受付装
置と、前記情報送信手段から送信された参加者情報とスタンプ情報とを受信する情報受信
手段と、前記情報受信手段により受信された参加者情報とスタンプ情報とを記憶する記憶
手段と、前記記憶手段に記憶されたスタンプ情報を送信するスタンプ情報送信手段と、外
部の装置から送信されたスタンプ画像を受信するスタンプ画像受信手段と、前記スタンプ
画像受信手段により受信されたスタンプ画像を表示する表示手段とを備える通信端末と、
前記スタンプ情報送信手段から送信されたスタンプ情報を受信するスタンプ情報受信手段
と、前記スタンプ情報受信手段により受信されたスタンプ情報に対応するスタンプ画像を
前記通信端末へ送信するスタンプ画像送信手段とを備える複数のチェック装置とを有する
ラリーシステムを提供する。
【０００７】
本発明においては、前記表示手段は記憶性を有し、前記通信端末は、電波の送信および
受信を行うアンテナを有し、他装置への情報送信および他装置からの情報受信を前記アン
テナを介して電波により行い、該アンテナで受信した電波により生じた誘導起電力で駆動
されてもよい。
【０００８】
また、本発明においては、前記受付装置は、前記チェック装置の位置を表す地図情報を
送信する地図情報送信手段を有し、前記通信端末は、前記地図情報送信手段から送信され
た地図情報を受信する地図情報受信手段を有し、前記表示手段は、前記地図情報受信手段
で受信された地図情報が表す地図を表示してもよい。
【０００９】
また、本発明においては、前記チェック装置は、ラリーにおいて当該チェック装置の次
に巡るチェック装置の位置を示した装置地図情報を送信する装置地図情報送信手段を有し
、前記通信端末は前記装置地図情報送信手段から送信された装置地図情報を受信する装置
地図情報受信手段を有し、前記表示手段は、前記装置地図情報受信手段で受信された装置
地図情報が表す地図を表示してもよい。
【００１０】
また、本発明においては、前記通信端末は、前記記憶手段に記憶した参加者情報を送信
する参加者情報送信手段を有し、前記チェック装置は、前記参加者情報送信手段から送信
された参加者情報を転送する転送手段を有し、時刻を計時する計時手段と、前記転送手段
で転送された参加者情報を受信する参加者情報受信手段と、前記参加者情報受信手段で受
信された参加者情報と、該参加者情報を受信した時刻とを対応付けて記憶する記憶手段と
を備えるホスト装置を有してもよい。
【００１１】
また、本発明においては、前記チェック装置は、時刻を計時する計時手段と、前記計時
手段で計時した時刻を送信する第１時刻送信手段を有し、前記通信端末は、前記第１時刻
送信手段から送信された時刻を受信する第１時刻受信手段と、前記第１時刻受信手段で受
信された時刻を記憶する時刻記憶手段を有してもよい。
【００１２】
また、本発明においては、前記チェック装置は、時刻を計時する計時手段と、前記計時
手段で計時した時刻を送信する第１時刻送信手段を有し、前記通信端末は、前記第１時刻
送信手段から送信された時刻を受信する第１時刻受信手段と、前記第１時刻受信手段で受
信された時刻を記憶する時刻記憶手段と、前記時刻記憶手段に記憶した時刻を送信する第
２時刻送信手段を有し、さらに前記チェック装置は、第２時刻送信手段から送信された時
刻を受信する第２時刻受信手段を有し、前記装置地図情報送信手段は、ラリーにおいて当
該チェック装置の次に巡るチェック装置を前記第２時刻受信手段で受信した時刻に基づい
て決定し、決定したチェック装置の位置を示した装置地図情報を送信してもよい。
【発明を実施するための最良の形態】
【００１３】
［第１実施形態］
（実施形態の構成）
図１は、本発明の第１実施形態に係るラリーシステム１の全体構成を示した図である。
このラリーシステム１においては、スタンプラリーの参加者が電子ペーパ装置１０を携帯
し、スタンプラリーのチェックポイントに配置されたチェック装置４０Ａ〜４０Ｅを巡る
ことによりスタンプラリーが行われる。なお、このラリーシステム１においては多数の電
子ペーパ装置１０が存在するが、図面が煩雑になるのを防ぐため、図１には一つの電子ペ
ーパ装置１０のみを示している。また、チェック装置４０Ａ〜４０Ｅの構成は各々同じで
あるため、以下、各チェック装置を区別する必要のない場合はチェック装置４０という。
【００１４】
（電子ペーパ装置１０）
電子ペーパ装置１０は、チェックポイントに到達したことを表すスタンプや、チェック
ポイントの位置を示した地図等を表示する装置である。図２に示したように、電子ペーパ
装置１０は、制御部１０１、表示部１０２、アンテナ１０３、データ受信部１０４、デー
タ送信部１０５、および電力生成部１０６を有している。
【００１５】
制御部１０１は、ＣＰＵ（Central Processing Unit）１０１Ａ、ＲＯＭ（Read Only M
emory）１０１Ｂ、ＲＡＭ（Random Access Memory）１０１Ｃ、不揮発性メモリ１０１Ｄ
を有している。制御部１０１においては、電力生成部１０６から電力が供給されるとＲＯ
Ｍ１０１Ｂに記憶されている制御プログラムがＣＰＵ１０１Ａにより実行される。ＣＰＵ
１０１Ａが制御プログラムを実行すると、制御部１０１によって各部が制御され、アンテ
ナ１０３を介して他の装置と通信を行い各種情報を授受する機能、不揮発性メモリ１０１
Ｄに各種情報を記憶する機能、表示部１０２に各種情報を表示する機能などが電子ペーパ
装置１０において実現する。
【００１６】
アンテナ１０３は、受付装置２０やチェック装置４０から送信される電波信号の受信、
および受付装置２０やチェック装置４０への電波信号の送信を行うためのループコイルア
ンテナである。アンテナ１０３は、電力生成部１０６、データ受信部１０４、データ送信
部１０５に接続されている。
電力生成部１０６は、電子ペーパ装置１０の各部に電力を供給するものであり、アンテ
ナ１０３で受信された電波信号による電磁誘導でアンテナ１０３に生じた起電力を基にし
て、電子ペーパ装置１０の各部へ動作に必要な電力を生成して供給する。
データ受信部１０４は、アンテナ１０３で受信された電波信号に含まれている情報を取
り出すものである。データ受信部１０４は制御部１０１に接続されており、電波信号から
取り出した情報を制御部１０１へ出力する。
データ送信部１０５は、アンテナ１０３から出力する信号を生成するものであり、制御
部１０１に接続されている。データ送信部１０５は制御部１０１から情報が供給されると
、供給された情報を含む信号をアンテナ１０３へ出力する。これにより、情報を含む電波
信号がアンテナ１０３から送信される。
【００１７】
表示部１０２は、色のついた粒子を電界によって移動させることで画像の表示を行う電
気泳動型の表示装置を有している。即ち、表示部１０２は、いったん画像を表示させたあ
とは各画素に電圧をかけなくても長期間同じ画像を表示し続ける、所謂、記憶性を有する
表示装置である。表示部１０２は制御部１０１に接続されており、制御部１０１の制御の
下、各種画像や文字を表示する。なお、本実施形態において表示部１０２は電気泳動型の
表示装置を有しているが、例えば、コレステリック液晶を用いた表示装置など、いったん
画像を表示させたあとは各画素に電圧をかけなくても長期間同じ画像を表示し続ける装置
（記憶性を有する表示装置）であれば、電気泳動型の表示装置に限定されず他の表示装置
を有していてもよい。
【００１８】
（受付装置２０）
受付装置２０は、ラリーの参加者を一意に識別する参加者情報やチェックポイントの位
置を示した地図を表す地図情報を電子ペーパ装置１０へ送信する装置である。受付装置２
０は通信ネットワーク５０に接続されており、図３に示したように、制御部２０１、記憶
部２０５、通信部２０６、操作部２０７、表示部２０８、プリンタ２０９、無線通信部２
１０、およびアンテナ２１０Ａを有している。
【００１９】
アンテナ２１０Ａは、電子ペーパ装置１０から送信される電波信号の受信、および電子
ペーパ装置１０への電波信号の送信を行うためのループコイルアンテナである。アンテナ
２１０Ａは、無線通信部２１０に接続されている。
無線通信部２１０は、通信インターフェース機能を有しており、制御部２０１の制御の
下、アンテナ２１０Ａを介して電子ペーパ装置１０と通信を行う。具体的には、無線通信
部２１０は電子ペーパ装置１０から送信された電波信号に含まれる情報を制御部２０１へ
供給する。また、制御部２０１から情報が供給されると、供給された情報を含む信号をア
ンテナ２１０Ａへ出力する。これにより情報を含む電波信号がアンテナ２１０Ａから送信
される。
【００２０】
通信部２０６は、通信インターフェース機能を有しており通信ネットワーク５０に接続
されている。通信部２０６は、制御部２０１の制御の下、通信ネットワーク５０を介して
ホスト装置３０と通信を行い、ホスト装置３０と各種情報の授受を行う。
【００２１】
操作部２０７は、受付装置２０を操作するためのキーボード（図示略）やマウス（図示
略）を有している。表示部２０８は液晶ディスプレイを具備しており、制御部２０１の制
御の下、文字やグラフィック画像、受付装置２０を操作するためのメニュー画面などを表
示する。プリンタ２０９は紙に印刷を行う装置であり、制御部２０１の制御の下、文字や
図形などを紙に印刷する。
記憶部２０５は、ハードディスク装置を有しており参加者情報や地図情報を記憶する。
また、記憶部２０５は、ラリーの参加者がチェックポイントに到達したことを証明する
スタンプの画像を表すスタンプ画像情報と、スタンプ画像を一意に識別するスタンプ識別
子をスタンプ画像毎に記憶している。なお、スタンプとしてはアニメーション映画のキャ
ラクタの画像やマンガのキャラクタの画像、子供が好む電車や自動車、飛行機の画像、複
数のスタンプがあり、記憶部２０５には、複数のスタンプ画像情報と、各スタンプ画像情
報に対応したスタンプ識別子が記憶されている。
【００２２】
制御部２０１は、ＣＰＵ２０２、ＲＯＭ２０３、ＲＡＭ２０４を有している。ＲＯＭ２
０３は、受付装置２０の各部を制御するための制御ソフトウェアを記憶しており、制御部
２０１においては、図示せぬ電源から電力が供給されるとＲＯＭ２０３に記憶されている
制御プログラムがＣＰＵ２０２により実行される。ＣＰＵ２０２が制御プログラムを実行
すると制御部２０１によって各部が制御され、受付装置２０においては、参加者情報を生
成し、各種情報を無線通信部２１０を介して電子ペーパ装置１０へ送信する機能や、電子
ペーパ装置１０に記憶されている情報を受信する機能、ホスト装置３０と通信を行う機能
、ラリーの結果の表示や印刷を行う機能などが実現する。
【００２３】
（ホスト装置３０）
通信ネットワーク５０に接続されているホスト装置３０は、受付装置２０およびチェッ
ク装置４０と通信を行い、ラリーに関する情報を記憶する装置である。ホスト装置３０は
図４に示したように、制御部３０１、記憶部３０５、通信部３０６、操作部３０７、表示
部３０８を有している。
【００２４】
通信部３０６は、通信インターフェース機能を有しており通信ネットワーク５０に接続
されている。通信部３０６は、制御部３０１の制御の下、通信ネットワーク５０を介して
受付装置２０やチェック装置４０と通信を行い各種情報の授受を行う。
操作部３０７は、ホスト装置３０を操作するためのキーボードやマウスを有している。
表示部３０８は液晶ディスプレイを具備しており、ＣＰＵ３０２の制御の下、文字やグ
ラフィック画面、ホスト装置３０を操作するためのメニュー画面などを表示する。
【００２５】
記憶部３０５は、ハードディスク装置を有しており、ラリーの参加者の参加者情報やラ
リーの参加者がチェックポイントに到達した時刻を表す時刻情報等、ラリーに関する各種
情報を記憶する。
【００２６】
制御部３０１は、ＣＰＵ３０２、ＲＯＭ３０３、ＲＡＭ３０４を有している。ＲＯＭ３
０３は、ホスト装置３０の各部を制御するための制御ソフトウェアを記憶しており、制御
部３０１においては、図示せぬ電源から電力が供給されるとＲＯＭ３０３に記憶されてい
る制御プログラムがＣＰＵ３０２により実行される。ＣＰＵ３０２が制御プログラムを実
行すると、制御部３０１によって各部が制御され、ホスト装置３０においては受付装置２
０やチェック装置４０と通信を行う機能や、時刻を計時する機能、記憶部３０５に情報を
記憶する機能などが実現する。
【００２７】
（チェック装置４０Ａ〜４０Ｅ）
チェック装置４０Ａ〜４０Ｅは、ラリーのチェックポイントに配置された装置であり、
通信ネットワーク５０に接続されている。図５は、チェック装置４０のハードウェア構成
を示した図である。図５に示したように、チェック装置４０は、制御部４０１、アンテナ
４０３、データ受信部４０４、データ送信部４０５、通信部４０６を有している。
【００２８】
制御部４０１は、ＣＰＵ４０１Ａ、ＲＯＭ４０１Ｂ、ＲＡＭ４０１Ｃ、不揮発性メモリ
４０１Ｄを有している。不揮発性メモリ４０１Ｄは、スタンプ画像情報を記憶している。
なお、このスタンプ画像情報は受付装置２０に記憶されているスタンプ画像情報と同じ情
報である。また、不揮発性メモリ４０１Ｄは、チェック装置４０を一意に識別するチェッ
ク装置識別子を記憶している。例えば、チェック装置４０Ａにおいては「ＩＤ−Ａ」、チ
ェック装置４０Ｂにおいては「ＩＤ−Ｂ」というように、チェック装置４０を一意に識別
する識別子が記憶されている。制御部４０１においては、図示せぬ電源から電力が供給さ
れると、ＲＯＭ４０１Ｂに記憶されている制御プログラムがＣＰＵ４０１Ａにより実行さ
れる。ＣＰＵ４０１Ａが制御プログラムを実行すると、制御部４０１によって各部が制御
され、電子ペーパ装置１０と通信を行い各種情報を授受する機能や、ホスト装置３０と通
信を行い各種情報を授受する機能が実現する。
【００２９】
通信部４０６は、通信インターフェース機能を有しており通信ネットワーク５０に接続
されている。通信部４０６は、制御部４０１の制御の下、通信ネットワーク５０を介して
ホスト装置３０と通信を行い各種情報の授受を行う。
【００３０】
アンテナ４０３は、電子ペーパ装置１０から送信される電波信号の受信、および電子ペ
ーパ装置１０への電波信号の送信を行うためのループコイルアンテナであり、データ受信
部４０４、データ送信部４０５に接続されている。
データ受信部４０４は、アンテナ４０３で受信された電波信号に含まれている情報を取
り出すものである。データ受信部４０４は制御部４０１に接続されており、電波信号から
取り出した情報を制御部４０１へ出力する。
データ送信部４０５は、アンテナ４０３から出力する信号を生成するものであり、制御
部４０１に接続されている。データ送信部４０５は、制御部４０１から情報が供給される
と、供給された情報を含む信号をアンテナ４０３へ出力する。これにより、情報を含む電
波信号ががアンテナ４０３から送信される。
【００３１】
（実施形態の動作）
次に本実施形態の動作について説明する。
（受付時の動作）
まず、ラリーシステム１により提供されるスタンプラリーに参加する場合、ラリーの参
加者は受付装置２０のある場所へ行く。受付装置２０においては、図９に示したように複
数のスタンプの一覧が表示された受付画面が表示されている。参加者は受付装置２０の管
理者から電子ペーパ装置１０を受け取り、電子ペーパ装置１０とアンテナ２１０Ａを近接
させた後、操作部２０７を操作してスタンプのいずれかを選択する操作を行う。この後、
参加者が受付画面に表示されている「登録」ボタンをクリックする操作を行うと、制御部
２０１は、参加者を一意に識別する参加者情報を生成し（図６：Ｓ１０１）、選択された
スタンプを識別するスタンプ識別子と、生成した参加者情報とをＲＡＭ２０４に格納する
（Ｓ１０２）。
【００３２】
次に制御部２０１は、表示部２０８を制御して図１０に例示したように複数のラリーの
コースを表示する（Ｓ１０３）。ここで、参加者が操作部２０７を操作してコースのいず
れかをクリックする操作を行うと、制御部２０１は、選択されたコースのチェックポイン
トの位置を表す地図の地図情報と、ＲＡＭ２０４に格納されている参加者情報およびスタ
ンプ識別子とを無線通信部２１０へ出力する。
【００３３】
無線通信部２１０が制御部２０１から出力された情報を受け取ると、受け取った情報を
含む電波信号がアンテナ２１０Ａから送信される（Ｓ１０４）。この電波信号が電子ペー
パ装置１０のアンテナ１０３で受信されると、電力生成部１０６は、アンテナ１０３で受
信された電波信号による電磁誘導でアンテナ１０３に生じた起電力を基にして、電子ペー
パ装置１０の各部へ動作に必要な電力を供給する。また、データ受信部１０４は、電波信
号に含まれている情報を取り出し、取り出した情報を制御部１０１へ出力する。制御部１
０１は、データ受信部１０４から出力された情報を受け取ると、参加者情報、スタンプ識
別子および地図情報とを不揮発性メモリ１０１Ｄに記憶させる（Ｓ１０５）。制御部１０
１は、各種情報の記憶が終了すると、記憶した地図情報に従って表示部１０２を制御し、
ラリーのチェックポイントの位置を示した地図を表示部１０２に表示させる（Ｓ１０６）
。
【００３４】
制御部１０１は、地図を表示部１０２に表示させると、情報を記憶したことを通知する
記憶終了情報をデータ送信部１０５へ出力する。データ送信部１０５が、この記憶終了情
報を受け取ると、受け取った情報を含む電波信号がアンテナ１０３から送信される（Ｓ１
０７）。
【００３５】
この電波信号が受付装置２０のアンテナ２１０Ａで受信されると、無線通信部２１０は
、電波信号に含まれている記憶終了情報を取り出し、取り出した情報を制御部２０１へ出
力する。制御部２０１は、記憶終了情報を受け取ると、まず、参加者情報を通信部２０６
へ出力する。通信部２０６は、参加者情報を受け取ると、通信ネットワーク５０を介して
ホスト装置３０と通信を行い、ホスト装置３０へ参加者情報を送信する（Ｓ１０８）。ま
た、制御部２０１は、参加者情報のホスト装置３０への送信が終了すると、表示部２０８
を制御して図１１に示したように、受付が終了したことを知らせる画面を表示する（Ｓ１
０９）。図１１に示した画面を見た参加者は、チェックポイントの位置を示した地図が表
示されている電子ペーパ装置１０を携帯してラリーを始める。
【００３６】
一方、受付装置２０から送信された参加者情報がホスト装置３０の通信部３０６にて受
信されると、制御部３０１は受信された参加者情報と、参加者情報を受信した時刻を表す
時刻情報とを対応付けて記憶部３０５に記憶させる（Ｓ１１０）。
【００３７】
（チェックポイント到達時の動作）
次に、参加者がチェック装置４０Ａが置かれているチェックポイントに到達した時の動
作について説明する。参加者はチェックポイントに到達すると、チェックポイントに置か
れているチェック装置４０Ａのアンテナ４０３に電子ペーパ装置１０をかざす。チェック
装置４０Ａにおいては、アンテナ４０３から電波信号が出力されており（図７：Ｓ２０１
）、この電波信号には、送信されている電波信号がチェック装置４０からのものであるこ
とを表す情報が含まれている。このチェック装置４０Ａからの電波信号がアンテナ１０３
で受信されると、電力生成部１０６は、アンテナ１０３で受信された電波信号を基にして
、電子ペーパ装置１０の各部に対し動作に必要な電力を供給する。また、データ受信部１
０４は、電波信号に含まれている情報を取り出し、取り出した情報を制御部１０１へ出力
する。制御部１０１は、データ受信部１０４から出力された情報を受け取ると、不揮発性
メモリ１０１Ｄに記憶されている参加者情報とスタンプ識別子とをデータ送信部１０５へ
出力する。データ送信部１０５は、これらの情報を受け取ると、受け取った情報を含む信
号をアンテナ１０３へ出力する。これにより、情報を含む電波信号がアンテナ１０３から
送信される（Ｓ２０２）。
【００３８】
この電波信号がチェック装置４０Ａのアンテナ４０３で受信されると、データ受信部４
０４は、電波信号に含まれている参加者情報とスタンプ識別子を取り出し（Ｓ２０３）、
取り出した情報を制御部４０１へ出力する。制御部２０１は参加者情報とスタンプ識別子
を受け取ると、まず、参加者情報とチェック装置識別子とを通信部４０６へ出力する。通
信部２０６は、チェック装置識別子と参加者情報を受け取ると、通信ネットワーク５０を
介してホスト装置３０と通信を行い、ホスト装置３０へ参加者情報とチェック装置識別子
を送信する（Ｓ２０４）。この参加者情報とチェック装置識別子とがホスト装置３０の通
信部３０６にて受信されると、制御部３０１は受信された参加者情報と同じ参加者情報を
検索する。そして、参加者情報を受信した時刻を表す時刻情報とチェック装置識別子とを
検索で見つけた参加者情報に対応付けて記憶部３０５に記憶させる（Ｓ２０５）。
【００３９】
また、制御部４０１は、チェック装置識別子と参加者情報のホスト装置３０への送信が
終了すると、受信したスタンプ識別子で特定されるスタンプのスタンプ画像情報を不揮発
性メモリ４０１Ｄから読み出し（Ｓ２０６）、読み出したスタンプ画像情報をデータ送信
部４０５へ出力する。すると、スタンプ画像情報を含む電波信号がアンテナ４０３から送
信されて（Ｓ２０７）電子ペーパ装置１０で受信される。そして、スタンプ画像情報を受
信した電子ペーパ装置１０においては、スタンプ画像情報が表すスタンプの画像が表示部
１０２に表示される（Ｓ２０８）。参加者は、スタンプが表示部１０２に表示されたのを
確認すると、表示されている地図を参照して次のチェックポイントへ向かう。
【００４０】
（ラリー終了時の動作）
参加者がチェックポイントへ移動し、チェック装置４０Ｂ〜４０Ｅにおいて電子ペーパ
装置１０をかざすと、各チェックポイントにおいても、電子ペーパ装置１０と各チェック
装置との間で上述した動作と同様の動作が行われる。また、各チェック装置とホスト装置
３０との間においても、上述した動作と同様の動作が行われ、ホスト装置３０においては
、各チェック装置のチェック装置識別子と、チェック装置識別子を受信したときの時刻情
報とが対応付けて記憶される。
【００４１】
参加者は、最後のチェックポイントへ到達した後、受付装置２０が置かれている場所へ
戻り、電子ペーパ装置１０をアンテナ２１０Ａを近接させる。そして、参加者が表示部２
０８に表示されている受付画面（図９）の「ラリー終了」ボタンをクリックする操作を行
うと、制御部２０１は、参加者情報を送信するように指示する指示情報を無線通信部２１
０へ出力する。この指示情報を無線通信部２１０が受け取ると、受け取った指示情報を含
む電波信号がアンテナ２１０Ａから送信される（図８：Ｓ３０１）。
【００４２】
この電波信号が電子ペーパ装置１０のアンテナ１０３で受信され、電波信号に含まれて
いる指示情報がデータ受信部１０４から制御部１０１へ出力されると、制御部１０１は不
揮発性メモリ１０１Ｄに記憶されている参加者情報をデータ送信部１０５へ出力する。す
ると、参加者情報を含む電波信号がアンテナ１０３から出力され（Ｓ３０２）、この電波
信号がアンテナ２１０Ａで受信される。そして、無線通信部２１０において電波信号から
参加者情報が取り出され、参加者情報が制御部２０１へ送られる。制御部２０１は、参加
者情報を受け取ると、通信部２０６を制御して参加者情報をホスト装置３０へ送信する（
Ｓ３０３）。
【００４３】
ホスト装置３０において参加者情報が受信されると、制御部３０１は、参加者情報を受
信した時刻をラリーの終了時刻とし、この時刻の時刻情報を参加者情報に対応付けて記憶
部３０５に記憶させる。そして、制御部３０１は受信した参加者情報と同じ参加者情報に
対応付けて記憶されているチェック装置識別子と時刻情報とを、通信部３０６を制御して
受付装置２０へ送信する（Ｓ３０４）。
これらの情報が受付装置２０にて受信されると、受付装置２０は、受信した情報を基に
して、チェック装置間の移動にかかった時間やラリーの開始から終了までにかかった時間
を計算し、これらの時間をプリンタ２０９を制御して紙に印刷する（Ｓ３０５）。受付装
置２０の管理者は、この印刷された紙を参加者に渡し、参加者が携帯していた電子ペーパ
装置１０を引き取る。
【００４４】
本実施形態によれば、電子ペーパ装置を各装置にかざすだけでスタンプや地図の表示が
されるので、スタンプラリーの参加者は簡単にスタンプラリーを行うことができる。
また、電子ペーパ装置１０は、電池などの電源を有していないので重量を軽くすること
ができ携帯することが容易になる。
また、本実施形態においては、参加者が選択した好みのスタンプがスタンプラリー中に
表示されるので、参加者の好みでないキャラクタを集めるスタンプラリーと比較して、参
加者がスタンプラリーを楽しむことができる。
【００４５】
［第２実施形態］
（実施形態の構成）
次に本発明の第２実施形態について説明する。本実施形態に係るラリーシステム１は、
第１実施形態と同様に電子ペーパ装置１０、受付装置２０、ホスト装置３０、チェック装
置４０Ａ〜４０Ｅ、通信ネットワーク５０からなり、各装置のハードウェア構成は第１実
施形態と同じとなっている。本実施形態においては、受付装置２０に記憶されている情報
とチェック装置４０に記憶されている情報、およびラリーを行うときの動作が第１実施形
態と異なる。
【００４６】
まず、受付装置２０に記憶されている情報と、チェック装置４０に記憶されている情報
について説明する。図１２は、本実施形態に係る受付装置２０のハードウェア構成図であ
る。受付装置２０の記憶部２０５においてはコース情報ＣＡ〜ＣＣが記憶されている。コ
ース情報は、チェックポイントを巡る順番を示す情報であり、コース毎に異なっている。
例えば、コースＡに対応したコース情報ＣＡの場合、チェック装置４０を巡る順番は「チ
ェック装置４０Ａ→チェック装置４０Ｂ→チェック装置４０Ｃ→チェック装置４０Ｄ→チ
ェック装置４０Ｅ」となっており、コースＢに対応したコース情報ＣＢの場合、チェック
装置４０を巡る順番は「チェック装置４０Ｅ→チェック装置４０Ｄ→チェック装置４０Ｃ
→チェック装置４０Ｂ→チェック装置４０Ａ」となっている。また、コースＣに対応した
コース情報ＣＣの場合、チェック装置４０を巡る順番は「チェック装置４０Ａ→チェック
装置４０Ｅ→チェック装置４０Ｃ→チェック装置４０Ｂ→チェック装置４０Ｄ」となって
いる。
【００４７】
また、記憶部２０５においては、各チェック装置の位置を表す地図のチェック装置地図
情報ＭＡＰＡ〜チェック装置地図情報ＭＡＰＥが記憶されている。チェック装置地図情報
ＭＡＰＡは、チェック装置４０Ａの位置を示す地図の情報、チェック装置地図情報ＭＡＰ
Ｂは、チェック装置４０Ｂの位置を示す地図の情報、チェック装置地図情報ＭＡＰＣは、
チェック装置４０Ｃの位置を示す地図の情報となっている。また、チェック装置地図情報
ＭＡＰＤは、チェック装置４０Ｄの位置を示す地図の情報、チェック装置地図情報ＭＡＰ
Ｅは、チェック装置４０Ｅの位置を示す地図の情報となっている。
【００４８】
次に、チェック装置４０において記憶されている情報について説明する。図１３は、本
実施形態に係るチェック装置４０のハードウェア構成図である。チェック装置４０におい
ては、受付装置２０に記憶されているチェック装置地図情報ＭＡＰＡ〜チェック装置地図
情報ＭＡＰＥと同じ情報が記憶されている。
【００４９】
（実施形態の動作）
次に本実施形態の動作について説明する。
（受付時の動作）
まず、ラリーシステム１により提供されるラリーに参加する場合、ラリーの参加者は受
付装置２０のある場所へ行く。なお、参加者が電子ペーパ装置１０を受け取ってから受付
画面でスタンプを選択し、その後にラリーのコースを選択するまでの動作は第１実施形態
と同じであるため、その説明を省略する。
【００５０】
さて、参加者が操作部２０７を操作してラリーのコースのいずれかをクリックする操作
を行うと、制御部２０１は、ＲＡＭ２０４に格納されている参加者情報とスタンプ識別子
、選択されたコースのコース情報、および選択されたコースにおいて最初に巡るチェック
装置４０のチェック装置地図情報を無線通信部２１０へ出力する。例えば、参加者がコー
スＢを選択した場合、コース情報ＣＢが無線通信部２１０へ出力される。また、コースＢ
の場合、最初に巡るチェック装置はチェック装置４０Ｅであるため、チェック装置４０Ｅ
に対応したチェック装置地図情報ＭＡＰＥが無線通信部２１０へ出力される。
【００５１】
無線通信部２１０が制御部２０１から出力された情報を受け取ると、受け取った情報を
含む電波信号がアンテナ２１０Ａから送信される（図１４：Ｓ４０１）。この電波信号が
電子ペーパ装置１０で受信されると、電波信号に含まれている参加者情報とスタンプ識別
子、コース情報ＣＢとチェック装置地図情報ＭＡＰＥが不揮発性メモリ１０１Ｄに記憶さ
れる（Ｓ４０２）。電子ペーパ装置１０は、各種情報の記憶が終了すると、記憶したチェ
ック装置地図情報ＭＡＰＥに従って表示部１０２を制御し、チェック装置４０Ｅの位置を
示した地図を表示部１０２に表示させる（Ｓ４０３）。
【００５２】
電子ペーパ装置１０においては、地図の表示が終了すると、記憶終了情報を含む電波信
号がアンテナ１０３から送信される（Ｓ４０４）。この電波信号が受付装置２０にて受信
されると、受付装置２０は、生成した参加者情報をホスト装置３０へ送信する（Ｓ４０５
）。また、受付装置２０は、参加者情報のホスト装置３０への送信が終了すると、受付が
終了したことを知らせる画面を表示する（Ｓ４０６）。この画面を見た参加者は、最初に
巡るチェックポイントの位置を示した地図が表示されている電子ペーパ装置１０を携帯し
てラリーを始める。なお、ホスト装置３０は、参加者情報を受信すると、参加者情報と、
参加者情報を受信した時刻を表す時刻情報とを対応付けて記憶部３０５に記憶する（Ｓ４
０７）。
【００５３】
（チェックポイント到達時の動作）
次に、チェック装置４０Ｅが置かれているチェックポイントに参加者が到達した時の動
作について説明する。参加者はチェックポイントに到達すると、チェック装置４０Ｅのア
ンテナ４０３に電子ペーパ装置１０をかざす。このチェック装置４０Ｅからの電波信号が
アンテナ１０３で受信されると（図１５：Ｓ５０１）、電子ペーパ装置１０は、不揮発性
メモリ１０１Ｄに記憶されている参加者情報とスタンプ識別子、およびコース情報ＣＢを
含む電波信号をアンテナ１０３から送信する（Ｓ５０２）。
【００５４】
この電波信号を受信したチェック装置４０Ｅは、まず、電波信号に含まれている参加者
情報と、不揮発性メモリ４０１Ｄに記憶されているチェック装置識別子とをホスト装置３
０へ送信する（Ｓ５０３）。この参加者情報とチェック装置識別子とがホスト装置３０に
て受信されると、ホスト装置３０は受信された参加者情報と同じ参加者情報を記憶部３０
５において検索する。そして、参加者情報を受信した時刻を表す時刻情報とチェック装置
識別子とを、検索で見つけた参加者情報に対応付けて記憶部３０５に記憶させる（Ｓ５０
４）。
【００５５】
また、チェック装置４０Ｅは、チェック装置識別子と参加者情報のホスト装置３０への
送信が終了すると、受信したスタンプ識別子で特定されるスタンプのスタンプ画像情報を
含む電波信号をアンテナ４０３から送信する（Ｓ５０５）。すると、この電波信号を受信
した電子ペーパ装置１０においては、スタンプ画像情報が表すスタンプの画像が表示部１
０２に表示される（Ｓ５０６）。
また、チェック装置４０Ｅは、受信したコース情報ＣＢにおいて、次に巡るチェック装
置を特定し、特定したチェック装置のチェック装置地図情報を含む電波信号を電子ペーパ
装置１０へ送信する。ここでは、コースＢにおいて次に巡るチェック装置はチェック装置
４０Ｄであるため、チェック装置地図情報ＭＡＰＤを含む電波信号がチェック装置４０Ｅ
から送信される（Ｓ５０７）。この電波信号を電子ペーパ装置１０が受信すると、電波信
号に含まれているチェック装置地図情報ＭＡＰＤに従ってチェック装置４０Ｄの位置を示
した地図が表示部１０２に表示される（Ｓ５０８）。
参加者は、スタンプと、次のチェックポイントの位置が表示部１０２に表示されたのを
確認すると、表示されている地図を参照して次のチェックポイントへ向かう。
【００５６】
（ラリー終了時の動作）
参加者が各チェックポイントへ移動し、チェック装置４０Ａ〜４０Ｄにおいて電子ペー
パ装置１０をかざすと、各チェックポイントにおいても、電子ペーパ装置１０と各チェッ
ク装置との間で上述した動作と同様の動作が行われる。また、各チェック装置とホスト装
置３０との間においても、上述した動作と同様の動作が行われ、ホスト装置３０において
は、各チェック装置のチェック装置識別子と、チェック装置識別子を受信したときの時刻
情報とが対応付けて記憶される。
【００５７】
参加者は、最後のチェックポイントへ到達した後、受付装置２０が置かれている場所へ
戻り、電子ペーパ装置１０をアンテナ２１０Ａを近接させる。そして、参加者が表示部２
０８に表示されている受付画面の「ラリー終了」ボタンをクリックする操作を行うと、第
１実施形態と同様にして指示情報を含む電波信号がアンテナ２１０Ａから送信される（図
８：Ｓ３０１）。そして、電子ペーパ装置１０からは、参加者情報を含む電波信号が電子
ペーパ装置１０から受付装置２０へ送信される（Ｓ３０２）。受付装置２０は、電波信号
を受信すると、電波信号に含まれている参加者情報をホスト装置３０へ送信する（Ｓ３０
３）。
【００５８】
ホスト装置３０は、参加者情報を含む電波信号を受信すると、参加者情報を受信した時
刻をラリーの終了時刻とし、この時刻の時刻情報を参加者情報に対応付けて記憶部３０５
に記憶させる。そして、ホスト装置３０は、受信した参加者情報と同じ参加者情報に対応
付けて記憶されているチェック装置識別子と時刻情報とを受付装置２０へ送信する（Ｓ３
０４）。これらの情報が受付装置２０にて受信されると、受付装置２０は、受信した情報
を基にして、チェック装置間の移動にかかった時間やラリーの開始から終了までにかかっ
た時間を計算し、これらの時間をプリンタ２０９を制御して紙に印刷する（Ｓ３０５）。
受付装置２０の管理者は、この印刷された紙を参加者に渡し、参加者が携帯していた電子
ペーパ装置１０を引き取る。
【００５９】
以上説明したように、本実施形態によれば、スタンプラリーの参加者は、どこを巡るか
はラリーの開始時点では分からないため、予め巡る場所が分かる場合と比較してラリーを
楽しむことができる。
【００６０】
［変形例］
以上、本発明の実施形態について説明したが、本発明は上述した実施形態に限定される
ことなく、他の様々な形態で実施可能である。例えば、上述の実施形態を以下のように変
形して本発明を実施してもよい。
【００６１】
上述した実施形態においては、チェック装置４０で時刻を計時するようにしてもよい。
そして、電子ペーパ装置１０をチェック装置４０にかざした場合、計時している時刻を表
す時刻情報と、チェック装置識別子を電子ペーパ装置１０へ送信し、電子ペーパ装置１０
は、送信された情報を組にして不揮発性メモリ１０１Ｄに記憶するようにしてもよい。ま
た、受付装置２０においても時刻を計時し、受付時の時刻とラリー終了時の時刻とを記憶
するようにしてもよい。そして、ラリーの終了時には、電子ペーパ装置１０は記憶してい
るチェック装置識別子と時刻情報とを受付装置２０に送信し、受付装置２０は、受信した
情報と記憶している受付時の時刻とラリー終了時の時刻とから、チェック装置間の移動に
かかった時間やラリーの開始から終了までにかかった時間を計算し、計算結果を印刷する
ようにしてもよい。この構成によれば、ホスト装置３０を用いなくとも、ラリーにかかっ
た時間やチェック装置間の移動にかかった時間を求めることができる。
【００６２】
また、チェック装置４０で時刻の計時を行う場合、チェック装置４０は電子ペーパ装置
１０から参加者情報を受信した時刻の時刻情報をチェック装置識別子と参加者情報ともに
ホスト装置３０へ送信し、ホスト装置３０は、送信されたチェック装置識別子と時刻情報
とを参加者情報に対応付けて記憶してもよい。この構成によれば、ホスト装置３０で時刻
を計時しなくても、参加者がチェックポイントに到達した時刻を記憶することができる。
【００６３】
受付装置２０においては、参加者の年齢や参加者が話す言語の種類を受付装置２０に入
力するようにしてもよく、受付装置２０が参加者情報を電子ペーパ装置１０へ送信する際
、この入力された情報を参加者情報と共に電子ペーパ装置１０へ送信してもよい。
また、参加者が話す言語の種類を示す情報が電子ペーパ装置１０へ送られた場合、電子
ペーパ装置１０は、この情報が表す言語で文字を表示してもよい。
また、参加者の年齢を示す情報が電子ペーパ装置１０へ送られた場合、電子ペーパ装置
１０は文字を表示する際に情報が表す年齢に応じて文字の大きさや漢字のルビの表示の有
り／無しを制御してもよい。例えば、年齢が６０歳以上の場合は、６０歳未満のときに表
示する文字の大きさより文字の大きさを大きくしてもよい。また、年齢が１２歳以下の場
合は漢字にルビをつけて表示してもよい。
また、受付装置２０に参加者の年齢が入力された場合、同じコースであっても年齢によ
りコースを異ならせるようにしてもよい。例えば、上述した第２実施形態において６０歳
以上の参加者がコースＡを選択した場合にはチェック装置４０を巡る順番を「チェック装
置４０Ａ→チェック装置４０Ｂ→チェック装置４０Ｃ」とし、６０歳未満の参加者がコー
スＡを選択した場合にはチェック装置４０を巡る順番とコースを「チェック装置４０Ａ→
チェック装置４０Ｂ→チェック装置４０Ｃ→チェック装置４０Ｄ→チェック装置４０Ｅ」
としてもよい。
【００６４】
ラリーの終了時に電子ペーパ装置１０に記憶されているスタンプ識別子を受付装置２０
へ送信し、受付装置２０が印刷を行うときにスタンプ識別子で特定されるスタンプを印刷
するようにしてもよい。
【００６５】
ラリーの参加者が、スタンプにしたい画像の画像情報を記録媒体に記録させて受付装置
２０へ持参し、記録媒体に記録されている画像情報を受付装置２０が読み取るようにして
もよい。この場合、この画像情報を電子ペーパ装置１０へ送信して電子ペーパ装置１０に
記憶させるようにしてもよい。そして、電子ペーパ装置１０をチェック装置４０にかざし
た場合、電子ペーパ装置１０は、チェック装置４０からの電波信号を受信したことをトリ
ガにして、記憶している画像情報が表す画像をスタンプとして表示してもよい。
【００６６】
上述した実施形態においては、ラリーの参加者が複数人いる場合、ホスト装置３０は、
参加者の毎に情報の記憶領域を記憶部３０５に設け、設けた記憶領域に、受付装置２０や
チェック装置４０から送信される情報を記憶するようにしてもよい。
【００６７】
アニメーション映画やマンガのキャラクタをスタンプとする場合、同じキャラクタでキ
ャラクタの表情や姿勢の異なるスタンプの画像を複数用意し、用意した画像をチェック装
置４０に振り分けて記憶させてもよい。この場合、キャラクタの画像に対応するスタンプ
識別子は、キャラクタを一意に特定するものとし、チェック装置４０は、スタンプ識別子
を受信すると、スタンプ識別子で特定されるキャラクタの画像を電子ペーパ装置１０へ送
信する。この構成によれば、チェック装置４０を巡っていくと、同じキャラクタで表情や
姿勢の異なる複数のスタンプを集めることができる。
【００６８】
上述した第２実施形態においては、同じコースが選択されても、チェックポイントの移
動に費やした時間により、次の行き先を変更するようにしてもよい。具体的には、チェッ
ク装置４０で時刻を計時するようにする。また、電子ペーパ装置１０がチェック装置４０
にかざされた場合、チェック装置識別子と電子ペーパ装置１０がかざされた時の時刻を電
子ペーパ装置１０へ送信し、電子ペーパ装置１０は、送信された情報を組にして記憶する
。そして、電子ペーパ装置１０は、記憶しているコース情報と、記憶しているチェック装
置識別子と時刻とをチェック装置４０へ送信する。
【００６９】
チェック装置４０においてはチェック装置識別子と時刻の組から、チェック装置間の移
動に費やした時間を計算する。例えば、チェック装置４０Ａのチェック装置識別子に組と
なっている時刻が「１０：００」であり、チェック装置４０Ｂのチェック装置識別子に組
となっている時刻が「１１：００」である場合、コースＡが選択されていると、チェック
装置４０Ａからチェック装置４０Ｂへの移動に費やした時間は１時間と計算される。
【００７０】
ここで、参加者がチェック装置４０Ｂの位置におり、チェック装置４０Ａからチェック
装置４０Ｂの移動に費やした時間が３０分未満である場合には、次に巡るチェック装置は
チェック装置４０Ｃであるため、チェック装置地図情報ＭＡＰＣを含む電波信号が電子ペ
ーパ装置１０へ送信される。一方、チェック装置４０Ａからチェック装置４０Ｂの移動に
費やした時間が３０分以上である場合には、コース情報からすると次に巡るチェック装置
はチェック装置４０Ｃであるが、チェック装置４０Ｃではなくチェック装置４０Ｄのチェ
ック装置地図情報ＭＡＰＤを含む電波信号が電子ペーパ装置１０へ送信される。チェック
装置間の移動に費やした時間に応じて表示される地図が異なることとなり、次に巡るチェ
ックポイントが変わることとなる。
【００７１】
上述した実施形態においては、Ｓ１０８のステップで参加者情報をホスト装置３０へ送
信する際、スタンプ識別子もホスト装置３０へ送信し、ホスト装置３０で参加者情報と対
応付けて記憶してもよい。また、スタンプ画像情報はチェック装置４０に記憶させるので
はなくホスト装置３０に記憶させてもよい。この場合、電子ペーパ装置１０がチェック装
置４０にかざされてチェック装置４０から参加者情報がホスト装置３０へ送信されると、
ホスト装置３０は送信された参加者情報に対応付けて記憶されているスタンプ識別子を抽
出する。そして抽出した識別子で特定されるスタンプ画像情報をチェック装置４０へ送信
し、チェック装置４０は送信されたスタンプ画像情報を電子ペーパ装置１０へ送信する。
この構成によれば、各チェック装置４０にスタンプ画像情報を記憶させておく必要がない
ため、チェック装置４０の不揮発性メモリ４０１Ｄの容量を少ないものとすることができ
、コストを抑えることができる。
【００７２】
上述した実施形態においては、電子ペーパ装置１０に二次電池を設け、電子ペーパ装置
１０は二次電池からの電力で駆動されてもよい。
上述した実施形態においては、参加者情報と時刻とを記憶するというホスト装置３０の
機能を受付装置２０が有していてもよい。
【００７３】
上述した実施形態においては、各装置は以下のように動作してもよい。
まず、受付装置２０は受付時にスタンプ識別子を電子ペーパ装置１０へ送信しない。ま
た、受付装置２０は参加者情報とスタンプ識別子を組にしてチェック装置４０Ａ〜４０Ｅ
へ送信し、各チェック装置は送信された参加者情報とスタンプ識別子を組みにして記憶す
る。そして、電子ペーパ装置１０がチェック装置４０にかざされると、電子ペーパ装置１
０は参加者情報をチェック装置４０へ送信する。参加者情報を受信したチェック装置４０
は、受信した参加者情報と組で記憶されているスタンプ識別子を抽出し、抽出したスタン
プ識別子で特定されるスタンプ画像を電子ペーパ装置１０へ送信する。
また、この構成においては、スタンプ識別子に替えてスタンプ画像を参加者情報と組に
して受付装置２０から各チェック装置４０へ送信し、チェック装置４０に記憶させてもよ
い。この場合、チェック装置４０は電子ペーパ装置１０から参加者情報を受信すると、受
信した参加者情報と組で記憶しているスタンプ画像を電子ペーパ装置１０へ送信する。
なお、上述のように、スタンプ画像とスタンプ識別子のいずれも、参加者の選択したス
タンプを特定できる情報であるため、参加者の選択したスタンプを表すスタンプ情報とい
うことができる。
【００７４】
遊園地、公園、博物館、水族館、動物園、展示会などにおいては、施設内の複数の場所
を巡る場合、巡る場所に上述したチェック装置４０を配置し、複数の場所を巡る者が電子
ペーパ装置１０を携帯して各場所のチェック装置へ電子ペーパ装置１０をかざしてスタン
プを集めるようにしてもよい。
【図面の簡単な説明】
【００７５】
【図１】本発明の第１実施形態に係るラリーシステムの全体構成図である。
【図２】電子ペーパ装置１０のハードウェア構成図である。
【図３】受付装置２０のハードウェア構成図である。
【図４】ホスト装置３０のハードウェア構成図である。
【図５】チェック装置４０のハードウェア構成図である。
【図６】第１実施形態の動作を説明するためのシーケンス図である。
【図７】第１実施形態の動作を説明するためのシーケンス図である。
【図８】第１実施形態の動作を説明するためのシーケンス図である。
【図９】受付画面を例示した図である。
【図１０】スタンプラリーのコースの選択画面を例示した図である。
【図１１】スタンプラリー開始時に表示される画面を例示した図である。
【図１２】第２実施形態に係る受付装置２０のハードウェア構成図である。
【図１３】第２実施形態に係るチェック装置４０のハードウェア構成図である。
【図１４】第２実施形態の動作を説明するためのシーケンス図である。
【図１５】第２実施形態の動作を説明するためのシーケンス図である。
【符号の説明】
【００７６】
１・・・ラリーシステム、１０・・・電子ペーパ装置、２０・・・受付装置、３０・・・
ホスト装置、４０Ａ〜４０Ｅ・・・チェック装置、５０・・・通信ネットワーク、１０１
・・・制御部、１０２・・・表示部、１０３・・・アンテナ、１０４・・・データ受信部
、１０５・・・データ送信部、１０６・・・電力生成部、２０１・・・制御部、２０５・
・・記憶部、２０６・・・通信部、２０７・・・操作部、２０８・・・表示部、２０９・
・・プリンタ、２１０・・・無線通信部、２１０Ａ・・・アンテナ、３０１・・・制御部
、３０５・・・記憶部、３０６・・・通信部、４０１・・・制御部、４０３・・・アンテ
ナ、４０４・・・データ受信部、４０５・・・データ送信部、４０６・・・通信部
【図１】
2008191967.tif 000003
【図２】
2008191967.tif 000004
【図３】
2008191967.tif 000005
【図４】
2008191967.tif 000006
【図５】
2008191967.tif 000007
【図６】
2008191967.tif 000008
【図７】
2008191967.tif 000009
【図８】
2008191967.tif 000010
【図９】
2008191967.tif 000011
【図１０】
2008191967.tif 000012
【図１１】
2008191967.tif 000013
【図１２】
2008191967.tif 000014
【図１３】
2008191967.tif 000015
【図１４】
2008191967.tif 000016
【図１５】
2008191967.tif 000017